(57)【特許請求の範囲】
【請求項１】
基準信号を発生する発振器と、該発振器からの信号を入力とし計時信号を出力する計時回路と、
該計時信号を表示する表示手段と、
前記計時回路の内容を修正するための２つのスイッチ手段、
前記２つのスイッチ手段が所定時間内に少なくとも２回操作されたことを判別するスイッチ判別手段と、
該スイッチ判別手段の判別信号で連続修正信号を出力し、前記計時回路の内容を早修正する連続修正信号発生回路と、
を有する電子時計において、
前記２つのスイッチ手段それぞれに対応する別個の前記スイッチ判別手段を設け、
該別個のスイッチ判別手段それぞれで前記所定時間を異ならせたことを特徴とする電子時計。
【請求項２】
前記２つのスイッチ手段は、それぞれリューズの右回転操作と左回転操作で作動するスイッチ手段であることを特徴とする請求項１記載の電子時計。
【発明の詳細な説明】
【０００１】
【発明の属する技術分野】
本発明は電子時計に関する。
【０００２】
【従来の技術】
従来よりリューズの回転操作で時刻修正等を行う電子時計が製品化されており、その修正方法は回転操作で機械的スイッチが作動し、入力回路を介して、修正信号発生回路で発生する修正信号で、時刻等の修正を行っている。又、一定時間内に２回操作したことを判別するスイッチ判別手段を設けて、スイッチ判別手段の出力に対応して、前記修正信号発生回路より早修正信号を発生し、時刻等の早修正を行う電子時計が特公昭６３−３２７１号に提案されている。また当該公報にはリューズの左右回転に対応した接点をとることにより、回転方向に応じて指針の正逆転を制御する事を開示している。この開示によりリューズの回転操作で機械的スイッチを連続的に作動させる操作上の難しさをカバーし、且つ操作性の良いリューズ回転で時刻等の早修正を可能となると共に、リューズの回転方向に応じて指針の正逆転を容易に制御する事も可能となる。
【０００３】
【発明が解決しようとする課題】
しかしながら、上記構成はリューズ回転方向に応じて指針の正転と逆転を制御することを開示しているに過ぎない。一般的に同公報の第５図に示されたような構成のリューズ１４では、右回転に対して左回転の方が操作速度は遅くなる。従って所定の時間内に２回操作したことを判別するスイッチ判別手段が、リューズの右回転操作、左回転操作の区別無く前記所定時間を一定に設すると、例えば右回転では早修正に入り易く、左回転では入り難いと言うような問題が発生する。本発明はこのような問題を解決し、回転速度の異なる右回転操作、左回転操作でも操作性に障害が生じない電子時計を提供することを目的とするものである。
【０００４】
【課題を解決するための手段】
上記目的を達成するための本発明は次の様な構成としている。
基準信号を発生する発振器と、該発振器からの信号を入力とし計時信号を出力する計時回路と、
該計時信号を表示する表示手段と、
前記計時回路の内容を修正するための２つのスイッチ手段、
前記２つのスイッチ手段が所定時間内に少なくとも２回操作されたことを判別するスイッチ判別手段と、
該スイッチ判別手段の判別信号で連続修正信号を出力し、前記計時回路の内容を早修正する連続修正信号発生回路と、
を有する電子時計において、
前記２つのスイッチ手段それぞれに対応する別個の前記スイッチ判別手段を設け、
該別個のスイッチ判別手段それぞれで前記所定時間を異ならせたことを特徴とする。
【０００５】
さらに、前記２つのスイッチ手段は、それぞれリューズの右回転操作と左回転操作で作動するスイッチ手段であることを特徴とする。
【０００６】
【発明の実施の形態】
以下図面に基づき本発明の一実施形態を説明する。なお本実施形態ではリューズ（図示せず）の右回転操作で指針は正転方向に歩進され、左回転操作で逆転方向に歩進されるものとする。図１は本発明における電子時計の回路ブロック線図である。１は水晶振動子を基準信号とする発振回路を含む発振器であり、２は発振器１からの発振信号を入力して分周信号Ｓ２１、Ｓ２２及び計時信号として１秒信号１Ｓを出力する分周回路である。３は秒カウンタ３ａ、分カウンタ３ｂ、時カウンタ３ｃで構成される計時回路であり、分周回路２からの１秒信号１Ｓを入力し、秒計時情報Ｓ３０及び時分計時情報Ｓ３１を出力する。又、該秒カウンタ３ａは後述するリューズの首引き操作で出力されるリューズ首引き位置信号Ｓ５２で００秒に初期化され、１秒信号１Ｓの入力を禁止する。更に、該分カウンタ３ｂ、時カウンタ３ｃは後述する時刻正転修正信号Ｓ１１又は時刻逆転修正信号Ｓ１２により修正が可能である。
【０００７】
２２は針位置変換回路であり、秒計時情報Ｓ３０、時分計時情報Ｓ３１を入力し、針位置に変換した時分針変換情報Ｓ２２を出力する。後述する減速輪列系Ｂ２０の分車に支持された分針２１ｂは１５秒運針であるため、時分針変換情報Ｓ２２は１５秒単位で出力される。
【０００８】
４は外部操作部材に連動して動作するスイッチ群であり、リューズ（図示せず）の首引き位置に連動して作動するスイッチＳＷａ、リューズの右回転操作で作動するスイッチＳＷｂ、左回転操作で作動するスイッチＳＷｃで構成されている。５はスイッチ入力回路であり、前述の各スイッチを入力とし、リューズ首引き位置信号Ｓ５２、右回転操作信号Ｓ５１、左回転転操作信号Ｓ５０を出力する。
【０００９】
６は修正信号発生回路であり、スイッチ入力回路５のリューズ首引き位置信号Ｓ５２及び右回転操作信号Ｓ５１、左回転操作信号Ｓ５０を入力し、リューズの首引き位置での右回転操作で正転修正信号Ｓ６０、左回転操作で逆転修正信号Ｓ６１を出力する。７はスイッチ判別手段Ａであり、正転修正信号Ｓ６０の入力で分周信号Ｓ２１をカウントするタイマ７ａで入力間隔の計測を開始し、タイムアップ以前に再度正転修正信号Ｓ６０が入力された時に、スイッチ判別信号Ｓ７を出力する。８はスイッチ判別手段Ｂであり、逆転修正信号Ｓ６１の入力で分周信号Ｓ２１をカウントするタイマ８ａで入力間隔の計測を開始し、タイムアップ以前に再度逆転修正信号Ｓ６１が入力された時に、スイッチ判別信号Ｓ８を出力する。タイマ８ａの設定値はタイマ７ａの設定値より大きな値が設定されている。
【００１０】
９は連続修正信号発生回路Ａであり、スイッチ判別手段Ａ７から出力されるスイッチ判別信号Ｓ７により分周信号Ｓ２２に沿った正転連続修正信号Ｓ９を出力する。１０は連続修正信号発生回路Ｂであり、スイッチ判別手段Ｂ８から出力されるスイッチ判別信号Ｓ８により分周信号Ｓ２２に沿った逆転連続修正信号Ｓ１０を出力する。１１はＯＲ回路Ａであり、正転修正信号Ｓ６０と正転連続修正信号Ｓ９を入力し、時刻正転修正信号Ｓ１１を出力する。１２はＯＲ回路Ｂであり、逆転修正信号Ｓ６１と逆転連続修正信号Ｓ１０を入力し、時刻逆転修正信号Ｓ１２を出力する。
【００１１】
１３は駆動信号発生回路Ａであり、記憶回路と比較回路で構成され、前回記憶された秒計時情報Ｓ３０（現在針位置）と新たな秒計時情報Ｓ３０（目標針位置）を比較算出し、差分パルス数を駆動信号Ｓ１３として出力する。１４は交互に極性の異なる駆動パルスを出力する変換機駆動回路Ａであり、駆動信号発生回路Ａ１３からの駆動信号Ｓ１３に応じた駆動パルスＳ１４を出力する。１５は変換機駆動回路Ａ１４からの交互駆動パルスにより駆動されるステップモータ、１６はスッテプモータ１５に噛合わされる減速輪列系Ａであり、該減速輪列系１６Ａの一部を構成する秒車に支持された秒針２１ａで秒表示を行う。
【００１２】
１７は駆動信号発生回路Ｂであり、記憶回路と比較回路で構成され、前回記憶された時分針変換情報Ｓ２２（現在針位置）と新たな時分針変換情報Ｓ２２（目標針位置）を比較算出し、目標針位置までの差分パルス数を駆動信号Ｓ１７として出力する。該駆動信号Ｓ１７は目標針位置迄の到達時間短縮のため正転信号又は逆転信号が選択される。１８は交互に極性の異なる駆動パルスを出力する変換機駆動回路Ｂであり、駆動信号発生回路Ｂ１７からの駆動信号Ｓ１７に応じた駆動パルスＳ１８を出力する。１９は変換機駆動回路Ｂ１８からの交互駆動パルスにより駆動されるステップモータ、２０はスッテプモータ１９に噛合わされる減速輪列系Ｂであり、該減速輪列系Ｂ２０の一部を構成する分車、時車に支持された分針２１ｂ、時針２１ｃで分、時の表示を行う。
【００１３】
次に上記構成における電子時計の時刻合せ動作を図１に基づいて説明する。上記動作を説明すると、リューズの首引き位置でスイッチＳＷａが作動し、スイッチ入力回路５はリューズ首引き位置信号Ｓ５２を出力する。秒カウンタ３ａはリセットされ００秒を秒計時情報Ｓ３０として出力すると共にカウントを停止する。駆動信号発生回路Ａ１３は差分パルス数を駆動信号Ｓ１３として出力する。変換機駆動回路Ａ１４はステップモータ１５を駆動し、減速輪列系Ａ１６の秒針車に支持された秒針２１ａを帰零（１２時位置に運針）する。
【００１４】
この状態（リューズ首引き位置）でリューズ右回転操作を行うと、スイッチＳＷｂが作動し、スイッチ入力回路５は右回転操作信号Ｓ５１を出力する。修正信号発生回路６は右回転操作信号Ｓ５１を受けて正転修正信号Ｓ６０を出力し、ＯＲ回路Ａ１１は＋１分単位の時刻正転修正信号Ｓ１１を出力する。分カウンタ３ｂは時刻正転修正信号Ｓ１１により１分加算を行い、時カウンタ３ｃは分カウンタ３ｂに連動して修正され、計時回路３は修正された時分計時情報Ｓ３１を出力する。秒計時情報Ｓ３０、時分計時情報Ｓ３１を入力する針位置変換回路２２は新たな時分針変換情報Ｓ２２を出力し、駆動信号発生回路Ｂ１７は差分パルス数４（＋１分単位）の駆動信号Ｓ１７を出力する。変換機駆動回路Ｂ１８はステップモータ１９を駆動し、減速輪列系Ｂ２０の分車、時車に支持された分針２１ｂ、時針２１ｃを作動し、＋１分単位の修正を行う。ＯＲ回路Ａ１１の一方の入力である正転連続修正信号Ｓ９はスイッチ判別手段Ａ７で連続入力と判断されない為に出力されない。
【００１５】
次に、リューズ右回転操作を連続して行った時について説明する。スイッチＳＷｂが断続的に作動し、スイッチ入力回路５を介し、修正信号発生回路６は断続的に正転修正信号Ｓ６０を出力する。最初の正転修正信号Ｓ６０で前述の如く、ＯＲ回路Ａ１１は＋１分単位の時刻正転修正信号Ｓ１１を出力する。同時にスイッチ判別手段Ａ７は分周信号Ｓ２１をカウントし、入力間隔の計測を開始する。スイッチ判別手段Ａ７は分周信号Ｓ２１をカウントするタイマ７ａがカウントアップするする前に、次の正転修正信号Ｓ６０が入力されることにより、スイッチ判別信号Ｓ７を出力する。連続修正信号発生回路Ａ９は、スイッチ判別信号Ｓ７により正転連続修正信号Ｓ９を出力し、ＯＲ回路Ａ１１は、正転修正信号Ｓ６０も含めた連続の時刻正転修正信号Ｓ１１を出力する。計時回路３は分カウンタ３ｂより連続修正され、修正された時分計時情報Ｓ３１を出力し、針位置変換回路２２で時分針変換情報Ｓ２２の変換され、駆動信号発生回路Ｂ１７により修正された時分を分針２１ｂ、時針２１ｃで表示する。連続修正はリューズ右回転操作、左転操作又はリューズ首引き位置を解除することで止めることが可能である。図示すると煩雑になるので省略してある。
【００１６】
以上リューズ右回転操作による＋１分単位及び連続の時刻正転修正について説明し、次はリューズ左回転操作による−１分単位及び連続の時刻逆転修正について説明する訳であるが、動作的にはリューズ右回転操作時と同様であるめ、スイッチ判別手段Ｂ８のみについて説明する。スイッチ判別手段Ｂ８は最初の逆転修正信号Ｓ６１で分周信号Ｓ２１をカウントし、入力間隔の計測を開始する。スイッチ判別手段Ｂ８は分周信号Ｓ２１をカウントするタイマ８ａがカウントアップするする前に、次の逆転修正信号Ｓ６１が入力されることにより、スイッチ判別信号Ｓ８を出力する。ここでタイマ８ａはタイマ７ａより大きな値が設定されているので逆転操作回転速度が遅くても正転動作の場合と同様の感覚でスイッチ判別信号Ｓ８は出力される。連続修正信号発生回路Ａ１０は、スイッチ判別信号Ｓ８により逆転連続修正信号Ｓ１０を出力し、ＯＲ回路Ａ１２は、逆転修正信号Ｓ６１も含めた連続の時刻逆転修正信号Ｓ１２を出力する。計時回路３は分カウンタ３ｂより連続修正され、修正された時分計時情報Ｓ３１を出力し、針位置変換回路２２で時分針変換情報Ｓ２２の変換され、駆動信号発生回路Ｂ１７により修正された時分を分針２１ｂ、時針２１ｃで表示する。右回転同様に連続修正はリューズ右回転操作、左転操作又はリューズ首引き位置を解除することで止めることが可能である。
【００１７】
上記方法で現在分、時に合わせ、時報の正分でリューズ首引きを解除すると秒カウンタ３ａのリセットが解除され１秒カウントを開始する。同時に秒針２１ａが１秒運針を開始し、通常使用状態になる。
【００１８】
以上時刻修正について説明してきたが、時差修正等他の操作にも適用されることは言うまでもない。又、スイッチ判別手段のタイマ７ａ、８ａの設定値を同一にして、タイマ７ａのカウント信号をタイマ８ａのカウント信号より早く設定しても同様の効果が得られる。更にタイマ７ａ、８ａの設定値を外部から設定することも可能である。
【００１９】
【発明の効果】
上記のごとく本発明によれば、リューズ回転操作のスイッチ判別手段を右回転操作、左回転操作それぞれに設けているので、双方の操作速度の違いを吸収でき、安定した操作性が実現可能である。又、一般のプッシュスイッチに於いても、設置位置などで操作性に時間相違が出る場合には有効であり、操作し易い電子時計を供給できる。
【図面の簡単な説明】
【図１】本発明の一実施例である電子時計の回路ブロック図である。
【符号の説明】
５  スイッチ入力回路
６  修正信号発生回路
７  スイッチ判別手段Ａ
８  スイッチ判別手段Ｂ
９  連続修正信号発生回路Ａ
１０  連続修正信号発生回路Ｂ
１７ 駆動信号発生回路Ｂ
１８ 変換機駆動回路Ｂ
２１ｂ  分針
２１ｃ  時針
２２  針位置変換回路
【図１】
0004603705.tif 000002